(57)【要約】      （修正有）【課題】調整式携帯式電子装置用保護カバーを提供する。【解決手段】この調整式携帯式電子装置用保護カバーは、前カバー２に後ろカバー４を接続して構成する。該前カバーと後ろカバーは対向するように結合され並びに電子装置を収容固定でき、該後ろカバーの内面に粘着固定用の表面を設ける。それは少なくとも二つの独立角カバー３を粘着固定でき、該独立角カバーはその底座に固定バンド３３が設けられ、該固定バンドの２端部が該独立角カバーに固定され、並びに環状空間を形成して該電子装置のボデーを嵌合する。該独立角カバーの背面に粘着固定用表面が設けられ、それは電子装置のサイズに対応してその粘着位置を調整でき、各種の異なるサイズの電子装置のボデーを収容及び保護することができる。【選択図】図２
0003168009.tif 000002
【実用新案登録請求の範囲】
【請求項１】
調整式携帯式電子装置用保護カバーにおいて、
前カバーであって、該後ろカバーに接続され、該前カバーの内面と該後ろカバーの内面は対向するように閉じ合わされて電子装置を被覆し並びに収容できる、上記前カバーと、
後ろカバーであって、その内面が粘着固定用の表面とされる、上記後ろカバーと、
少なくとも二つの独立角カバーであって、該電子装置のボデーのサイズに対応して該後ろカバーの内面に粘着固定され、該独立角カバーの底座に固定バンドが設けられ、該固定バンドの２端部は該独立角カバーの２辺に固定され、並びに環状空間を形成して該電子装置のボデーを嵌合固定するのに供される、上記独立角カバーと、
を包含し、異なるサイズの電子装置のボデーを収容し、電子装置のスクリーンを保護することを特徴とする、調整式携帯式電子装置用保護カバー。
【請求項２】
請求項１記載の調整式携帯式電子装置用保護カバーにおいて、該後ろカバーの内面は粘着固定用の表面とされ、その表面は面ファスナーを粘着固定できるフェルト材質表面とされ、該独立角カバーの背面が対応する面ファスナーの表面とされたことを特徴とする、調整式携帯式電子装置用保護カバー。
【請求項３】
請求項１記載の調整式携帯式電子装置用保護カバーにおいて、該後ろカバーの内面は粘着固定用の表面とされ、その表面は面ファスナーの表面とされ、該独立角カバーの背面が面ファスナーを粘着固定できるフェルト材質表面とされたことを特徴とする、調整式携帯式電子装置用保護カバー。
【請求項４】
請求項１記載の調整式携帯式電子装置用保護カバーにおいて、該前カバーの背面に第１固定部品が設けられ、該後ろカバーの背面に第２固定部品が設けられ、該第１固定部品、該第２固定部品は磁性部品とされることを特徴とする、調整式携帯式電子装置用保護カバー。
【請求項５】
請求項１記載の調整式携帯式電子装置用保護カバーにおいて、該前カバーのカバー体内部に第１固定部品が設けられ、該後ろカバーのカバー体内部に第２固定部品が設けられ、該第１固定部品、該第２固定部品は磁性部品とされることを特徴とする、調整式携帯式電子装置用保護カバー。
【請求項６】
請求項１記載の調整式携帯式電子装置用保護カバーにおいて、該前カバーの背面に第１固定部品が設けられ、該後ろカバーの背面に第２固定部品が設けられ、該第１固定部品、該第２固定部品はスナップボタン式部品とされることを特徴とする、調整式携帯式電子装置用保護カバー。
【請求項７】
請求項１記載の調整式携帯式電子装置用保護カバーにおいて、該後ろカバーの側辺に係合バンドが設けられ、該係合バンドに第３固定部品が設けられ、該第３固定部品は磁性部品とされることを特徴とする、調整式携帯式電子装置用保護カバー。
【請求項８】
請求項１記載の調整式携帯式電子装置用保護カバーにおいて、該後ろカバーの側辺に係合バンドが設けられ、該係合バンドに第３固定部品が設けられ、該第３固定部品はスナップボタン式部品とされることを特徴とする、調整式携帯式電子装置用保護カバー。
【請求項９】
請求項１記載の調整式携帯式電子装置用保護カバーにおいて、該独立角カバーは４個設けられ、それぞれ電子装置のボデーの角を嵌め込めることを特徴とする、調整式携帯式電子装置用保護カバー。
【考案の詳細な説明】
【技術分野】
【０００１】
本考案は一種の調整式携帯式電子装置用保護カバーに係り、特に、電子装置のサイズに応じてその固定位置を調整できる保護カバーであって、各種の異なるサイズの電子装置のボデーを収容し、並びに電子装置のスクリーンを保護し、閲覧、収納及び握持に便利な調整式携帯式電子装置用保護カバーに関する。
【背景技術】
【０００２】
コンピュータの発展は、早期のマシンルームからパーソナルコンピュータ、ノートブッック型コンピュータ、さらにスマートフォン、フラットパネルコンピュータなどのタッチコントロール式の携帯式電子装置に至る。
【０００３】
携帯式電子装置はタッチスクリーンの技術により、使用者に直観的に、コンピュータスクリーン上で目標項目をクリックして選択させることができ、並びに２本以上の指を開く或いは閉じる動作により、スクリーン上のイメージ或いは文字を拡大及び縮小できる。このような、スクリーン上で直接クリックして選択する操作方式は使用者とスクリーン間の距離を接近させる。
【０００４】
従来、コンピュータ使用者とスクリーンの間は、キーボード操作方式により隔てられ、携帯式電子装置がタッチスクリーンを操作インターフェイスとすることで敏捷に操作できるのとは異なる。
【０００５】
携帯式電子装置は単純な板体の構造であり、使用者は随意にスクリーン上でタッチ及び操作を行うことができる。
【０００６】
携帯式電子装置は通常構造が簡単で、外観が精緻であり、使用者の興味を引く。ただし、その外表面は引っかき傷をつけたり汚れたりしやすく、その美観が影響を受けやすい。このため、市場には各種材質の携帯式電子装置用保護カバー１１（図１参照）が出現している。
【０００７】
これらの保護カバー１１は、通常これらの電子装置１２の背面を被覆し、並びにスクリーン部分１１１がくり抜かれて、操作に供し、ボデー表面を保護する。
【０００８】
このような保護カバーは、通常固定サイズとされるが、電子装置はブランド及びタイプの違いにより、多種類の異なるサイズがあり、一概に通用できない。このため、保護カバーメーカーは、常に在庫及び材料ストックの問題が深刻となり、使用者にとっては、使用者にとっては、交換時に余分に保護カバーを購入しなければならない。
【考案の概要】
【考案が解決しようとする課題】
【０００９】
以上の欠点を鑑み、本考案者は研究と改良を重ね、終に本考案の調整式携帯式電子装置用保護カバーを完成した。本考案の目的は、電子装置のサイズに応じてその固定位置を調整できる保護カバーを提供し、これにより各種の異なるサイズの電子装置のボデーを収容し、並びに電子装置のスクリーンを保護し、閲覧、収納と握持に便利とすることにある。
【課題を解決するための手段】
【００１０】
請求項１の考案は、調整式携帯式電子装置用保護カバーにおいて、
前カバーであって、該後ろカバーに接続され、該前カバーの内面と該後ろカバーの内面は対向するように閉じ合わされて電子装置を被覆し並びに収容できる、上記前カバーと、
後ろカバーであって、その内面が粘着固定用の表面とされる、上記後ろカバーと、
少なくとも二つの独立角カバーであって、該電子装置のボデーのサイズに対応して該後ろカバーの内面に粘着固定され、該独立角カバーの底座に固定バンドが設けられ、該固定バンドの２端部は該独立角カバーの２辺に固定され、並びに環状空間を形成して該電子装置のボデーを嵌合固定するのに供される、上記独立角カバーと、
を包含し、異なるサイズの電子装置のボデーを収容し、電子装置のスクリーンを保護することを特徴とする、調整式携帯式電子装置用保護カバーとしている。
請求項２の考案は、請求項１記載の調整式携帯式電子装置用保護カバーにおいて、該後ろカバーの内面は粘着固定用の表面とされ、その表面は面ファスナーを粘着固定できるフェルト材質表面とされ、該独立角カバーの背面が対応する面ファスナーの表面とされたことを特徴とする、調整式携帯式電子装置用保護カバーとしている。
請求項３の考案は、請求項１記載の調整式携帯式電子装置用保護カバーにおいて、該後ろカバーの内面は粘着固定用の表面とされ、その表面は面ファスナーの表面とされ、該独立角カバーの背面が面ファスナーを粘着固定できるフェルト材質表面とされたことを特徴とする、調整式携帯式電子装置用保護カバーとしている。
請求項４の考案は、請求項１記載の調整式携帯式電子装置用保護カバーにおいて、該前カバーの背面に第１固定部品が設けられ、該後ろカバーの背面に第２固定部品が設けられ、該第１固定部品、該第２固定部品は磁性部品とされることを特徴とする、調整式携帯式電子装置用保護カバーとしている。
請求項５の考案は、請求項１記載の調整式携帯式電子装置用保護カバーにおいて、該前カバーのカバー体内部に第１固定部品が設けられ、該後ろカバーのカバー体内部に第２固定部品が設けられ、該第１固定部品、該第２固定部品は磁性部品とされることを特徴とする、調整式携帯式電子装置用保護カバーとしている。
請求項６の考案は、請求項１記載の調整式携帯式電子装置用保護カバーにおいて、該前カバーの背面に第１固定部品が設けられ、該後ろカバーの背面に第２固定部品が設けられ、該第１固定部品、該第２固定部品はスナップボタン式部品とされることを特徴とする、調整式携帯式電子装置用保護カバーとしている。
請求項７の考案は、請求項１記載の調整式携帯式電子装置用保護カバーにおいて、該後ろカバーの側辺に係合バンドが設けられ、該係合バンドに第３固定部品が設けられ、該第３固定部品は磁性部品とされることを特徴とする、調整式携帯式電子装置用保護カバーとしている。
請求項８の考案は、請求項１記載の調整式携帯式電子装置用保護カバーにおいて、該後ろカバーの側辺に係合バンドが設けられ、該係合バンドに第３固定部品が設けられ、該第３固定部品はスナップボタン式部品とされることを特徴とする、調整式携帯式電子装置用保護カバーとしている。
請求項９の考案は、請求項１記載の調整式携帯式電子装置用保護カバーにおいて、該独立角カバーは４個設けられ、それぞれ電子装置のボデーの角を嵌め込めることを特徴とする、調整式携帯式電子装置用保護カバーとしている。
【考案の効果】
【００１１】
本考案の調整式携帯式電子装置用保護カバーは、収容する電子装置のサイズに応じてその固定位置を調整でき、各種の異なるサイズの電子装置のボデーを収容でき、並びに電子装置のスクリーンの保護を達成し、閲覧、収納及び握持に便利であり、特に新規性、進歩性及び実用性を有している。
【図面の簡単な説明】
【００１２】
【図１】周知の保護カバーの表示図である。
【図２】本考案の立体分解図である。
【図３】本考案の独立角カバーの平面立体図である。
【図４】本考案の実施例表示図である。
【図５】本考案の操作断面表示図（一）である。
【図６】本考案の操作断面表示図（二）である。
【図７】本考案の別の実施例表示図である。
【考案を実施するための形態】
【００１３】
上述の本考案の目的を達成するため、本考案の調整式携帯式電子装置用保護カバーは、前カバーに後ろカバーが接続されて構成され、該前カバーと後ろカバーは対向するように結合され並びに電子装置を収容固定でき、該後ろカバーの内面に粘着固定用の表面が設けられ、それは少なくとも二つの独立角カバーを粘着固定でき、該独立角カバーはその底座に固定バンドが設けられ、該固定バンドの２端部が該独立角カバーに固定され、並びに環状空間を形成して該電子装置のボデーを嵌合するのに供され、該独立角カバーの背面に粘着固定用表面が設けられ、それは電子装置のサイズに対応してその粘着位置を調整でき、各種の異なるサイズの電子装置のボデーを収容及び保護することができる。
【００１４】
上述の本考案の後ろカバーは、その内面が粘着固定用の表面とされ、その表面は面ファスナーの固定に供されるフェルト布材質表面とされ、該独立角カバーの背面も面ファスナーに対応する表面とされる。
【００１５】
また、上述の本考案の後ろカバーは、その内面が粘着固定用の表面とされ、その表面が面ファスナーの表面とされ、該独立角カバーはその背面に面ファスナーを粘着固定できるフェルト布材質表面とされる。
【００１６】
上述の本考案の前カバーは、その背面に第１固定部品が設けられる。
【００１７】
上述の本考案の後ろカバーは、その内面の該第１固定部品に対応する位置に第２固定部品が設けられる。
【００１８】
上述の本考案の第１固定部品と第２固定部品は磁性部品とされ、並びにその磁性を利用して相互に吸着して固定され、且つ該第１固定部品と該第２固定部品はそれぞれ該前カバー及び後ろカバーのカバー体内部に内蔵され得る。
【００１９】
上述の本考案の第１固定部品及び第２固定部品は、スナップボタン式部品とされ、並びに互いに対応し係合固定され得る。
【００２０】
本考案の後ろカバーは、その側辺にさらに係合バンドが設けられ、該係合バンドに第３固定部品が設けられて、該第３固定部品は、該前カバーと該後ろカバーが閉じ合わされる時、該第３固定部品が該前カバー背面の第１固定部品と係合或いは磁気吸着可能であり、ゆえに該第３固定部品はスナップボタン式或いは磁性部品とされる。
【００２１】
上述の本考案の調整式携帯式電子装置用保護カバーは、該独立角カバーが四つ設けられ、それぞれ該電子装置のボデーの角を嵌め込むのに供されることを特徴とする。
本考案の技術内容、構造特徴、達成する目的を詳細に説明するため、以下に実施例を挙げ並びに図面を組み合わせて説明する。
【００２２】
図２に示されるのは、本考案の立体分解図である。本考案の調整式携帯式電子装置用保護カバーＡは、前カバー２に後ろカバー４が接続されて構成され、両者は連接部Ａ１で連接され、並びに連接部Ａ１が該前カバー２と該後ろカバー４が対向するように閉じ合わされるか、或いは外向きに開かれる時の折り曲げ部分とされ、これにより該前カバー２の内面２１と後ろカバー４の内面４１が対向し並びに電子装置５を収容し固定する（図４参照）。該後ろカバー４の内面４１には少なくとも二つの独立角カバー３が粘着固定されている。
【００２３】
上述の本考案の前カバー２は、その背面２２に第１固定部品２３が設けられている。
【００２４】
上述の本考案の後ろカバー４は、その内面が、粘着固定用の表面とされて、該独立角カバー３が該内面４１に対応し粘着固定され、該後ろカバー４の背面４２に第２固定部品４３が設けられ、該第２固定部品４３は第１固定部品２３と対応し固定される。
【００２５】
該独立角カバー３はその底座３１に固定バンド３３が設けられ、該固定バンド３３の２端部３３１、３３２は該独立角カバー３の両辺に固定され、並びに環状空間３３０を形成して、該電子装置５のボデーの角に嵌合してそれを固定する。
【００２６】
上述の本考案の第１固定部品２３及び第２固定部品４３は、磁性部品とされ、並びにその磁性を利用して相互に吸着固定され、且つ該第１固定部品２３及び該第２固定部品４３はそれぞれ該前カバー２及び後ろカバー４のカバー体内部に内蔵される。
【００２７】
上述の本考案の第１固定部品２３及び第２固定部品４３は、スナップボタン式部品とされ、並びに対応し相互に係合固定される。
【００２８】
上述の本考案の後ろカバー４は、その内面４１が粘着固定用の表面とされ、その表面は面ファスナーを係合固定できるフェルト材質とされ、該独立角カバー３の背面３２（図３参照）は、面ファスナー表面とされ、これにより、電子装置５のサイズに応じて、随時該独立角カバー３の該後ろカバー４内面４１上の粘着位置を調整でき（図７）、これにより、異なるサイズの電子装置５のボデーを収容及び保護できる。
【００２９】
また、上述の本考案の後ろカバー４は、その内面４１が粘着固定できる表面とされ、その表面は面ファスナーの表面とされ得て、該独立角カバー３の背面３２は面ファスナーを係合固定できるフェルト材質表面とされ、これにより、電子装置５のサイズに応じて、随時該独立角カバー３の該後ろカバー４の内面４１上の粘着位置を調整でき、これにより、異なるサイズの電子装置５のボデーを収容及び保護できる。
【００３０】
図２、４、５に示されるように、本考案の保護カバーＡを、該電子装置５に取り付ける時は、まず該独立角カバー３を、電子装置５のサイズにより、後ろカバー４の内面４１上の対応位置に粘着固定する。
【００３１】
最良の方式は、四つの独立角カバー３を該電子装置５のボデーの四つの角に対応するように配置し（図７参照）、該固定バンド３３の形成する環状空間３３０を利用し、該電子装置５のボデーを固定する。
【００３２】
該電子装置５を使用する時は、該前カバー２を３６０度回転させ、該前カバー２の背面２２と後ろカバー４の背面４２を突き合わせ、該第１固定部品２３と該第２固定部品４３を対応させ相互に係合或いは磁気吸着させる。
【００３３】
このほか、本考案の後ろカバー４の側辺に係合バンド４４が設けられ、該係合バンド４４には第３固定部品４４１が設けられ、それは該電子装置５の不使用時に、該前カバー２と後ろカバー４を対向するように閉じ合わせ（図６参照）、並びに該第３固定部品４４１を該前カバー２背面２２の第１固定部品２３に係合或いは磁気吸着させる。該第３固定部品４４１はスナップ式部品或いは磁性部品とされる。
【００３４】
総合すると、本考案の調整式携帯式電子装置用保護カバーは、収容する電子装置のサイズに応じてその固定位置を調整でき、各種の異なるサイズの電子装置のボデーを収容でき、並びに電子装置のスクリーンの保護を達成し、閲覧、収納及び握持に便利であり、特に新規性、進歩性及び実用性を有している。
【００３５】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００３６】
１１  保護カバー
１１１  スクリーン部分
１２  電子装置
Ａ  保護カバー
Ａ１  連接部
２  前カバー
２１  内面
２２  背面
２３  第１固定部品
３  独立角カバー
３１  底座
３２  背面
３３  固定バンド
３３０  環状空間
３３１、３３２  端部
４  後ろカバー
４１  内面
４２  背面
４３  第２固定部品
４４  係合バンド
４４１  第３固定部品
５  電子装置
【図１】
0003168009.tif 000003
【図２】
0003168009.tif 000004
【図３】
0003168009.tif 000005
【図４】
0003168009.tif 000006
【図５】
0003168009.tif 000007
【図６】
0003168009.tif 000008
【図７】
0003168009.tif 000009